(57)【要約】      （修正有）【課題】夏場熱中症予防になり、頭部、首動脈まで、すずしく、冬あたたかいぼうし（ハットも含む）の提供。【解決手段】形状はぼうしやハットのきじの中に防水紙をぬい込んで下にタオルきじｃをぬい付けぼうしやハットの物品としての構造構成とし後頭部にぬい付ける２つの布の真ん中が直線になる形状構造の先の長い台形で上辺が長く下辺を短くする型の首後ろ首動脈まで付くぼうしやハットの首動脈を冷やしたりあたためたりする部分の物品としての構造構成も表面きじの中に防水紙をぬい込んで下にタオルきじをぬい付ける構造。【選択図】図１
0003221856.tif 000002
【実用新案登録請求の範囲】
【請求項１】
台形三角形状の先の長い物を２つ作る（ぬいつける）
○首動脈を冷やしたり、暖めたりする為。（夏は、冷水又は水を中のタオルにかける）
【請求項２】
防水紙が中層に入っている事。
【請求項３】
下層部にタオルきじをぬいつける。
【請求項４】
冷水をつけてかぶる為夏場すずしくすごせて冬はそのままかぶればあたたかい。（熱中症予防になる。特に夏場は、）
【考案の詳細な説明】
【構図】
（明細書、の事、１、）
ぼうしの中を  丈夫な薄い防水紙を、ぬい込んで（ハットでもよい）
そこに水分をじょうはつしにくい様にタオルきじを（熱い時には、こおり水をかける。）ぬい込んでぼうしを作る。
そこのタオルに、冷水をかけて頭を冷やす。（約１時間ごと位に）
それを、ぼうしを作成販売する会社にマージンを入金する様にして、売る様にする。
冬は、そのままで、あたたかい。
特に夏に首動脈まで冷えるので熱中症予防になる。
（室内でも、室外でも。）
【図１】
0003221856.tif 000003
【図２】
0003221856.tif 000004
【手続補正書】
【提出日】平成30年11月27日(2018.11.27)
【手続補正１】
【補正対象書類名】実用新案登録請求の範囲
【補正対象項目名】全文
【補正方法】変更
【補正の内容】
【実用新案登録請求の範囲】
【請求項１】
考案の対象となる物品は新しいタイプのぼうしやハットで有りその形状はぼうしやハットのきじの中に防水紙をぬい込んでその下にタオルきじをぬい付けぼうしやハットの後頭部にぬい付ける２つの布の真ん中が直線になる様な形状の先の長い台形三角形型の首後ろ首動脈まで付くその形状も表面きじの中に防水紙をぬい込んでその下にタオルきじをぬい付ける事を特徴とする新しいぼうしやハットが具体的な形状。
【請求項２】
構造は半円形型の一般的に売られているつばさやひさし等の付いたぼうしや，ハットは後部下部分変形仕様型等でぼうしやハットのひさし部分つばさ部分は夏場頭や首にあたる中の部分にこおり水や冷水をひたすので冷水等の耐久性にたえる為プラスチックを布の間にはさむ構造で夏用のぼうしやハットは上部の布を薄くし冬は厚く作成する構造を特徴とし有している新しいぼうしやハット。
【請求項３】
夏は冷水をひたしてかぶる為特に夏場すずしくすごせて冬はそのままかぶれば夏は頭も首動脈も冷たくすずしく冬は頭も首動脈もあたたかい特に夏場は熱中症予防になる事を特徴とする新しいタイプのぼうしやハットなので簡潔説明文付の使用方法ラベルなど付でレジ横などでも少々販売する。
事を特徴とする新しいぼうしやハット。
【手続補正２】
【補正対象書類名】明細書
【補正対象項目名】全文
【補正方法】変更
【補正の内容】
【考案の詳細な説明】
【考案の詳細な説明】
どんどん地球温暖化になり２０年後には夏４４度になると言われている平成３０年夏からもうものすごく暑いので［考案の名称］の内容と［実用新案登録請求の範囲１］の［請求項１］内［請求項２］内［請求項３］内に記載したことを特徴とする新しいぼうしやハット。
【図面の簡単な説明】
【図１】この図は「断面図」であり側面からぼうしやハットを断面した図で有ります。
【図２】この図は「ぼうしを例にして後頭部側から見た図」で有ります。
【符号の説明】１（書類名）図面の（図面）の「断面図」のａは冬場厚いきじのぼうし夏場薄いきじのぼ  「図１」  うしで製造するのは気温差の適合比が有る為。
２（書類名）図面の（図面）の「断面図」のｂは紙しつの防水紙で「断面図」のＣタオル  「図１」  きじのこおり水又は冷水の蒸発を防ぐ為と頭部全体と首動脈の体温蒸発を冬            場防ぐ為である。
３（書類名）図面の（図面）の「断面図」のｃはタオルきじをでこぼこのある方をぼうし  「図１」  やハットの頭にあたる方首動脈にあたる方にしａｂｃをぬいつける。
４（書類名）図面の（図２）後頭部側から見た図は○台形三角形状の先の長い物を２つぬいつける。
○もちろん女性用ハット系でも同様
◎一応台形状の無いパターンもある。
◎台形三角形部分をチャック式にして取付・取はずし形にしてもよい。
○尚上記の様に台形三角形状の先の長い物を２つぬいつけると書いてわかりにくかったが（書類名）実用新案登録請求の範囲の（請求項１）の内容文を見て頂ければ理解してもらえると思います。
（その他１）
○尚（書類名）実用新案登録請求の範囲の（請求項２）内のぼうしやハットのひさし部分つばさ部分は冷水等の耐久性にたえる為プラスチックを布の間にはさむ構造だけではなく他の部分と同様の布プラス防水紙か防水シートプラスタオルきじをぬい合わせた様な構造仕様等でも良いとする事が（その他１）の特徴とする新しいぼうしやハットの仕様とする。
（その他２）
○発案者のマージン歩金入金は販売店側の定価プラス３．５％位それを製造メーカー側にキックバック入金して製造メーカー各社の入れ値に６．５％位プラスして発案者に１０％位の入金システムを希望いたいます。                                    敬具。
（その他３）
○（その他１）の追加説明
ぼうしやハットのひさし部分つばさ部分の構造仕様の追加説明の一例として布プラスゴム質のわりとかたい物質構造体プラスタオルきじや布プラスかたいダンボール質の物質構造体を防水紙又は防水シートでくるんだ構造物プラスタオルきじで仕上げる製造などでも良いとするなど等，が有る，のが特徴とされる。
【手続補正書】
【提出日】平成31年3月19日(2019.3.19)
【手続補正１】
【補正対象書類名】実用新案登録請求の範囲
【補正対象項目名】全文
【補正方法】変更
【補正の内容】
【実用新案登録請求の範囲】
【請求項１】
考案の対象となる物品は新しいタイプのぼうしやハットで有り形状はぼうしやハットのきじの中に防水紙をぬい込んで下にタオルきじをぬい付けぼうしやハットの物品としての構造構成とし後頭部にぬい付ける２つの布の真ん中が直線になる形状構造の先の長い台形で上辺が長く下辺を短くする型の首後ろ首動脈まで付くぼうしやハットの首動脈を冷やしたりあたためたりする部分の物品としての構造構成も表面きじの中に防水紙をぬい込んで下にタオルきじをぬい付ける構造とする事を特徴とする新しいタイプのぼうしやハット。
【請求項２】
形状構造構成は半円形型や楕円型で一般的に売られているつばさやひさしの付いたぼうしやハットは後部下部分は台形で上辺が長く下辺を短くする型でぼうしやハットのひさし部分つばさ部分は夏場頭や首にあたる中の部分にこおり水や水道水をひたすのでこおり水と水道水の耐久性にたえる為プラスチックを布の間にはさむ構造構成で夏用のぼうしやハットは上部の布を薄くし冬は厚く作成する構造構成のことを特徴とする請求項１記載の新しいタイプのぼうしやハット。
【請求項３】
夏はこおり水と水道水をひたしてかぶる為特に夏場すずしくすごせて冬はそのままかぶれば夏は頭も首動脈も冷たくすずしく冬は頭も首動脈もあたたかい特に夏場は熱中症予防になることを特徴とする請求項１記載の新しいタイプのぼうしやハット。
【手続補正２】
【補正対象書類名】明細書
【補正対象項目名】全文
【補正方法】変更
【補正の内容】
【考案の詳細な説明】
【考案の詳細な説明】
どんどん地球温暖化になり屋外でも室内でも特に夏期にこおり水又は水道水を新しいタイプのぼうしやハット内側のタオルきじにかけた後手やペットボトル、水筒で水が垂れない位に軽くしぼり取って頭上からかぶると約１時間から３０分位ごとに頭全体も首動脈まで冷える新しいタイプのぼうしやハットそして冬はそのままかぶれば頭全体と首動脈まで暖かいことを特徴とする新しいタイプのぼうしやハット。
【図面の簡単な説明】
【図１】この図は「断面図」であり側面からぼうしやハットを断面した図で有ります。
【図２】この図は「ぼうしを例にして後頭部側から見た図」で有ります。
【符号の説明】１（書類名）図面の（図面）の「断面図」のａは冬場厚いきじのぼうし夏場薄いきじのぼ  「図１」  うしで製造するのは気温差の適合比が有る為。
２（書類名）図面の（図面）の「断面図」のｂは紙しつの防水紙で「断面図」のＣタオル  「図１」  きじのこおり水又は冷水の蒸発を防ぐ為と頭部全体と首動脈の体温蒸発を冬            場防ぐ為である。
３（書類名）図面の（図面）の「断面図」のｃはタオルきじをでこぼこのある方をぼうし  「図１」  やハットの頭にあたる方首動脈にあたる方にしａｂｃをぬいつける。
４（書類名）図面の（図２）後頭部側から見た図は○台形三角形状の先の長い物を２つぬいつける。
○もちろん女性用ハット系でも同様
◎一応台形状の無いパターンもある。
◎台形三角形部分をチャック式にして取付・取はずし形にしてもよい。
○尚上記の様に台形三角形状の先の長い物を２つぬいつけると書いてわかりにくかったが（書類名）実用新案登録請求の範囲の（請求項１）の内容文を見て頂ければ理解してもらえると思います。
（その他１）
○尚（書類名）実用新案登録請求の範囲の（請求項２）内のぼうしやハットのひさし部分つばさ部分は冷水等の耐久性にたえる為プラスチックを布の間にはさむ構造だけではなく他の部分と同様の布プラス防水紙か防水シートプラスタオルきじをぬい合わせた様な構造仕様等でも良いとする事が（その他１）の特徴とする新しいぼうしやハットの仕様とする。
（その他２）
○発案者のマージン歩金入金は販売店側の定価プラス３．５％位それを製造メーカー側にキックバック入金して製造メーカー各社の入れ値に６．５％位プラスして発案者に１０％位の入金システムを希望いたいます。                                  敬具。
（その他３）
○（その他１）の追加説明
ぼうしやハットのひさし部分つばさ部分の構造仕様の追加説明の一例として布プラスゴム質のわりとかたい物質構造体プラスタオルきじや布プラスかたいダンボール質の物質構造体を防水紙又は防水シートでくるんだ構造物プラスタオルきじで仕上げる製造などでも良いとするなど等，が有る，のが特徴とされる。